(57)【特許請求の範囲】
【請求項１】
それぞれが同等の視野を撮影するように設置されるシャッターを備えた複数のカメラと、前記各カメラが順次時間的にずれた映像を撮影するとともに、各カメラで撮影する映像がそのカメラの１フィールド時間に対して短い時間となるように各カメラのシャッターの開口タイミングを設定する開口タイミング設定手段と、各カメラが撮影した映像を記録する録画装置とを備えるスローモーションの撮影装置において、
前記複数のカメラを撮影対象物に対し輻輳して配置したことを特徴とするスローモーションの撮影装置。
【請求項２】
それぞれが同等の視野を撮影するように設置されるシャッターを備えた複数のカメラと、前記各カメラが順次時間的にずれた映像を撮影するとともに、各カメラで撮影する映像がそのカメラの１フィールド時間に対して短い時間となるように各カメラのシャッターの開口タイミングを設定する開口タイミング設定手段と、各カメラが撮影した映像を記録する録画装置とを備えるスローモーションの撮影装置において、
前記複数のカメラを互いに平行かつ同一平面上に配置したことを特徴とするスローモーションの撮影装置。
【請求項３】
請求項２記載のスローモーションの撮影装置において、前記各カメラで撮影した映像が、一のカメラ位置から撮影したのと等価になるように、各カメラで撮影した映像を、カメラ位置に応じて平行移動する座標変換処理を行う平行位置補正手段を備えることを特徴とするスローモーションの撮影装置。
【請求項４】
請求項３記載のスローモーションの撮影装置において、前記平行位置補正手段は、少なくとも２つのカメラがそれぞれ撮影した映像のずれ、及び映像を比較するカメラ間の距離Ｗｃに基づき各カメラから対象物までの距離Ｌｓを算出し、この距離Ｌｓを用いて座標変換を行うことを特徴とするスローモーションの撮影装置。
【請求項５】
請求項２記載のスローモーションの撮影装置において、前記複数のカメラの前に、対象物から放射状に広がる光を平行光にする平行光学系を配置したことを特徴とするスローモーションの撮影装置。
【発明の詳細な説明】
【０００１】
【発明の属する技術分野】
本発明は、スローモーションの撮影装置に関し、詳しくは、高速で生じる現象を高倍率のスローモーションで撮影するスローモーションの撮影装置に関する。
【０００２】
【従来の技術】
一般に、スローモーションを滑らかに撮影・再生する場合には、通常の毎秒フィールド数より多い毎秒フィールド数で撮影して録画し、この録画したデータを通常の毎秒フィールド数で再生している。例えば、毎秒６０フィールドで記録する通常のＮＴＳＣ(National Television System Committee)のテレビ映像を２倍のスローモーションの映像にする場合には、撮影時に毎秒１２０フィールドで撮影して録画し、この録画したデータを毎秒６０フィールドで再生すればよい。
【０００３】
【発明が解決しようとする課題】
しかし、スポーツ選手の動作や、水の流れなどの自然現象、又は爆発・破壊現象の解析をするために、高倍率のスローモーションを撮影・再生しようとすると、従来の撮影・再生方法では困難が生じる。すなわち、従来の方法で高倍率のスローモーションを撮影するときには、一般にその倍率の速さで動作する撮像素子を備えたカメラや、録画装置が必要となるため、これまでの規格と異なる専用の装置が必要になるのみならず、ある倍率以上になると技術的に困難になる。そこで、本発明では、特に高速動作するカメラを必要としない、スローモーションの撮影装置を提供することを目的とする。
【０００８】
【発明が解決しようとする課題】
前記した課題を解決するため、本発明の請求項１は、それぞれが同等の視野を撮影するように設置されるシャッターを備えた複数のカメラと、前記各カメラが順次時間的にずれた映像を撮影するとともに、各カメラで撮影する映像がそのカメラの１フィールド時間に対して短い時間となるように各カメラのシャッターの開口タイミングを設定する開口タイミング設定手段と、各カメラが撮影した映像を記録する録画装置とを備えるスローモーションの撮影装置において、前記複数のカメラを撮影対象物に対し輻輳して配置したことを特徴とする。
【０００９】
本発明において複数のカメラを対象物に対し輻輳して配置するとは、複数のカメラが同じ向きではなく、対象物側に寄り集まる方向を向いて配置する場合をいう。例えば、対象物の方を向くように配置する場合が、輻輳した配置であるが、カメラが球面上に配置されなくても良いし、カメラが完全に対象物の方を向いていなくてもよい。
本発明のスローモーションの撮影装置によれば、開口タイミング設定手段により複数のカメラの開口タイミングが順次時間的にずれ、かつ、各カメラで撮影する時間がそのカメラの１フィールド時間に対して短い時間となるように、各シャッターが開口され、その結果、各カメラが撮像する映像はシャッターで短時間に区切られ、また、時間的に順次ずれて、録画装置によりこの撮影された各カメラの映像が記録されるので、このように各カメラを配置することで、各カメラで撮影した映像内での対象物の位置は、変わりにくくなるので、スローモーション再生時に対象物のブレやちらつきを少なくすることができる
【００１０】
また、本発明の請求項２は、それぞれが同等の視野を撮影するように設置されるシャッターを備えた複数のカメラと、前記各カメラが順次時間的にずれた映像を撮影するとともに、各カメラで撮影する映像がそのカメラの１フィールド時間に対して短い時間となるように各カメラのシャッターの開口タイミングを設定する開口タイミング設定手段と、各カメラが撮影した映像を記録する録画装置とを備えるスローモーションの撮影装置において、前記複数のカメラを互いに平行かつ同一平面上に配置したことを特徴とする。
【００１１】
このようなスローモーションの撮影装置によれば、複数のカメラの配置が容易で、また、対象物のほぼ同じ面を撮影することができる。なお、カメラを平行に配置するとは、カメラのレンズ（撮影方向）を同じ向きにして配置することを意味する。
【００１２】
また、本発明の請求項３は、請求項２記載のスローモーションの撮影装置において、各カメラで撮影した映像が、一のカメラ位置から撮影したのと等価になるように、各カメラで撮影した映像を、カメラ位置に応じて平行移動する座標変換処理を行う平行位置補正手段を備えることを特徴とする。
【００１３】
対象物とカメラの距離が、比較的遠い場合には、各カメラで撮影した映像内での対象物の位置の差は小さいのでほとんど問題とならないが、対象物とカメラの距離が比較的近い場合には、各カメラで撮影した映像内での対象物の位置のズレが再生映像に影響を与える場合がある。このような場合に、本発明の装置では、平行位置補正手段によりカメラを配置した時のカメラ位置に応じて座標変換処理して、一のカメラ位置から撮影したのと等価にするので、再生映像のブレやちらつきを少なくすることができる。
【００１４】
また、本発明の請求項４は、請求項３記載のスローモーションの撮影装置において、前記平行位置補正手段は、少なくとも２つのカメラがそれぞれ撮影した映像のずれ、及び映像を比較するカメラ間の距離Ｗｃに基づき各カメラから対象物までの距離Ｌｓを算出し、この距離Ｌｓを用いて座標変換を行うことを特徴とする。
【００１５】
この発明は、平行位置補正手段での補正方法をより具体的にしたものである。複数のカメラの内、少なくとも２つのカメラが撮影した映像を比較して、それらの映像のずれを求め、また、映像を比較するカメラ間の距離Ｗｃに基づき、各カメラから対象物までの距離Ｌｓを算出することができる。そして、この距離Ｌｓに基づき、各カメラが撮影した映像の、画面内での移動割合を算出することができるので、各座標変換をすることが可能である。
【００１６】
さらに、本発明の請求項５は、請求項２記載のスローモーションの撮影装置において、前記複数のカメラの前に、対象物から放射状に広がる光を平行光にする平行光学系を配置したことを特徴とする。
【００１７】
このようなスローモーションの撮影装置によれば、カメラを平行に配置した場合であっても、カメラを輻輳して配置したのと同じ効果を得ることができる。しかも、平行に配置することは容易なだけでなく、対象物とカメラとの距離が変わった場合でも、平行光学系の位置を変えるだけで、同じ光学系を維持して映像を撮影することができる。
【００２２】
【発明の実施の形態】
次に、本発明の実施の形態について適宜図面を参照しながら説明する。
図１は、一実施形態に係るスローモーションの撮影・再生装置の構成図である。
図１に示すように、一実施形態に係るスローモーションの撮影・再生装置１（以下、単に「撮影・再生装置１」という。）は、第１〜第７カメラ１０ａ〜１０ｇからなるカメラ群１０（以下、カメラを特定しない場合、単に「カメラ１０」という。）と、第１〜第７カメラ１０ａ〜１０ｇに接続された第１〜第７録画装置２０ａ〜２０ｇからなる録画装置群２０（以下、録画装置を特定しない場合、単に「録画装置２０」という）と、各録画装置２０とモニタ４０への接続を切り替える切換機３０とを備えている。なお、録画装置２０の再生機能と切換機３０とを合わせたものが特許請求の範囲にいうスロー再生手段に相当する。
【００２３】
第１〜第７カメラ１０ａ〜１０ｇは、公知のカメラに、撮影する映像を短時間に区切る第１〜第７シャッター１１ａ〜１１ｇ（以下、シャッターを特定しない場合、単に「シャッター１１」という）をそれぞれ設けたものである。シャッター１１は、カメラ１０のレンズの前、途中などに機械的に光を遮断する幕、例えば一部に開口部を有する回転する円板を設けて構成することができる。また、このような機械的な幕に限らず、カメラ内の受光手段であるＣＣＤからの信号を電気的にＯＮ、ＯＦＦして、映像を短時間に区切るように構成することもできる。
【００２４】
各シャッター１１は、開口タイミング設定手段１５により、開、閉の状態が制御される。なお、図２及び後記する図７において、グラフが高い位置にあるときが、映像が撮影・再生される状態（ＯＮ）で、低い位置にあるときが、映像の切れ目にある状態（ＯＦＦ）を示す。
開口タイミング設定手段１５は、図２（ａ）に示す、カメラ１０の通常の１フィールドの撮影時間（以下、この時間を本明細書中で「標準開口時間」という。）よりも、カメラ１０の台数分の１の短い時間だけシャッター１１を開くように制御する。なお、標準開口時間は、特許請求の範囲にいう１フィールド時間に相当する。
また、シャッター１１の開口タイミングは、例えば図２（ｂ）に示すように、各カメラが順次開いていくように制御される。図２（ｂ）の例で説明すれば、図１の第１カメラ１０ａの第１シャッター１１ａが開き、閉じた直後に隣の第２カメラ１０ｂの第２シャッター１１ｂが開き、閉じ、これを順に繰り返して端の第７カメラ１０ｇの第７シャッター１１ｇが開き、閉じた直後に再び、第１シャッター１１ａが開く、ということを繰り返す。この開口タイミングの順序は、各カメラ１０の配置とは関係なく、任意の順序で開閉させても構わない。
【００２５】
また、各シャッター１１の開口時間は、標準開口時間の台数分の１（図２の場合、１／７）に限られるものではない。これより、長くても、短くても構わない。開口時間が短いほど、各フィールド内での映像のブレが少なくなるので望ましい。ただし、開口時間が短いと、光量が少なくなるので、レンズの明るさやＣＣＤの感度に応じて見やすい範囲で開口時間を調節すると良い。一方、光量が必要な場合には、開口時間を長くすれば良いが、映像にブレが生じるので、撮影の対象物の速度に応じて見やすい範囲で調節するようにする。開口時間を短くする場合でも、長くする場合でも、あるシャッター１１の開口から、次のシャッター１１の開口までの時間間隔は、標準開口時間の台数分の１（図２では１／７）にするのが望ましい。
【００２６】
同様に、あるシャッター１１の開口から次のシャッター１１の開口までの時間は、標準開口時間の台数分の１に限られるものではない。例えば、６台のカメラを設置するとして、シャッター１１の開口時間を標準開口時間の１／１２とし、標準開口時間中に、６台のカメラのそれぞれが２フィールドずつ撮影するようにすることもできる。また、同じく６台のカメラを設置する場合でも、シャッター１１の開口時間を標準開口時間の１／３とし、一の標準開口時間中に、３台のカメラで１フィールドずつ撮影し、次の標準開口時間中に、残りのカメラ３台で１フィールドずつ撮影するようにし、これを繰り返すようにすることもできる。
【００２７】
録画装置２０は、公知の録画装置であり、録画した映像を１フィールドごとに間歇読み出しができる機能を有する。半導体メモリー、ビデオテープ、ＤＶＤ−ＲＡＭ、ハードディスクドライブなど、その種類は問われない。
なお、録画装置２０は、必ずしも複数台必要ではなく、各カメラ１０で撮影したデジタル画像としての各フィールドを、一台のコンピュータに取り込み、ハードディスクドライブに逐次書き込むようにしても良い。
【００２８】
モニタ４０は、公知のモニタである。カラーかモノクロか、又はブラウン管か、液晶かなど、その種類は問われない。
【００２９】
切換機３０は、各録画装置２０からの信号のうち、一つの録画装置２０からの信号のみを通すように切り換える装置である。その切換えのタイミングは、ある録画装置２０からの信号を、標準開口時間だけモニタ４０へ接続した後、すぐに次の録画装置２０へ接続を切り換えて、標準開口時間だけモニタ４０へ接続する。より正確には、ある録画装置２０と接続し始めてから、次の録画装置２０で接続し始めるまでの時間が標準開口時間になるように設定される。そして、接続の順序は、各録画装置２０で録画したフィールドの順番に応じ、同じ順番で映し出される映像が接続されるよう設定される。
より詳細には後記するが、例えば、図２（ｃ）に示すように、録画時に前記したように第１カメラ１０ａから順に第２カメラ１０ｂ，・・・第７カメラ１０ｇ、第１カメラ１０ａの順で録画したならば、再生時には、同じ順序で映像が再生されている間に録画装置２０とモニタ４０を接続する。
【００３０】
次に、各カメラ１０の配置について説明する。図３は、各カメラの配置を示した平面図である。各カメラ１０は、図３に示すように、それぞれが対象物Ｊを向くように輻輳して配置されている。より具体的には、対象物Ｊを中心とした円上に各カメラのレンズ（撮影方向）が対象物Ｊを向くように配置されている。このため、各カメラで撮影された対象物Ｊの位置は、画面上の同じ位置、例えば中心に位置するようになり、再生時に対象物Ｊのブレやちらつきが少なくなる。
カメラの台数が多い場合など、輻輳角θｉが大きい場合には、各カメラ１０で撮影される対象物の向きが異なるが、対象物Ｊが遠い場合には、その差は僅かであるので問題とならない。差が気になる場合には、各カメラ１０での見え方の差が小さくなるように映像を変換するとよい。
なお、各カメラは、互いになるべく近い方が、各カメラで撮影する映像の差が小さくなるので好ましいが、特に限定されるものではない。
【００３１】
以上のような構成の撮影・再生装置１は、次のように動作する。
まず、高速で動く対象物Ｊを撮影する際には、標準開口時間の台数分の１の開口時間で第１カメラ１０ａ、第２カメラ１０ｂ、・・・第７カメラ１０ｇの順でローテーションしながら撮影するように、各シャッター１１ａ〜１１ｇが開口タイミング設定手段１５により順次開口される。例えば、ＮＴＳＣのテレビ映像であれば、標準開口時間が１／６０秒であるので、ＮＴＳＣのテレビ撮影用のカメラを７台使用する場合には、この１／７である１／４２０秒の開口時間でシャッター１１を開口し、順次カメラ１０ａ〜カメラ１０ｇへと撮影していく。
撮影した各カメラの画像は、例えばＮＴＳＣのテレビ映像用の各録画装置２０で各カメラの標準開口時間かかって並列に録画される。
【００３２】
録画された映像を再生するときには、各録画装置２０を用いて、録画時と同じ順序で各フィールドの映像を標準再生時間ずつ、すなわち１／６０秒ずつモニタ４０へ流すよう切換機３０が作動し、映像がモニタ４０上で表示される。
この録画装置２０の再生をより詳細に説明すると、例えば半導体メモリーに録画をする場合において、カメラ１０ａで撮影した映像が、図２（ａ）で示した開口タイミングで撮影した映像を、標準の毎秒フィールド数で記録し、すべての録画装置２０を、モニタ４０における７フィールドに１回のタイミングで間歇的に再生し続け、各録画装置２０で映像の信号が送られている間だけ、その録画装置とモニタ４０とを切換機３０で接続すればよい。
【００３３】
以上のような動作によれば、モニタ４０上に表示される映像は、図２（ｃ）に示すように、第１カメラ１０ａのフィールド、第２カメラ１０ｂのフィールド、第３カメラ１０ｃのフィールド、・・・のように撮影されたフィールドの順に、かつ１フィールドが標準開口時間分だけ映し出されて再生される。この結果、再生された映像は、撮影時に比べ７倍遅いスローモーションとして再生される。このようにして、本実施形態の撮影・再生装置１によれば、通常のカメラ、録画装置に、シャッター１１、開口タイミング設定手段１５、切換機３０を設けるだけという簡易な構成で、高倍率のスローモーションを撮影・再生することが可能となる。しかも、カメラ１０の感度が許される限り、カメラ１０と録画装置２０の台数を増やして同様に動作させるだけで、その分高倍率のスローモーションを撮影することができる。
なお、再生時の速度は、１フィールドを通常の１フィールド時間で再生するのに限らず、通常の１フィールド時間より長く、若しくは短くして、スロー再生の倍率を変更しても構わない。また、１フィールドを複数回繰り返して再生し、再生スピードの倍率を変更することも可能である。
【００３４】
次に、カメラ１０の配置の他の例について説明する。図４は、カメラ１０の配置の他の例を示す平面図である。
図４に示す第１〜第７カメラ１０ａ〜１０ｇは、互いに平行かつ同一平面上に順に並んで配置されている。このように配置した場合には、各カメラ１０が撮影する映像は、対峙する撮影の対象物Ｊのほぼ同じ面を撮影することが可能である。従って、対象物Ｊのブレやちらつきが少ないスローモーションを撮影・再生することができる。カメラの台数が多い場合等、カメラ１０によりその位置に差が出る場合には、撮影した対象物Ｊの画面内の位置が撮影したカメラ１０に応じてずれるが、カメラ１０から対象物までの距離Ｌｓが大きい場合には影響が少ないので問題とならない。距離Ｌｓが十分に大きくない場合など、対象物Ｊの画面上の位置の差が大きい場合には、対象物Ｊの画面上の位置が一致するように座標変換するように撮影・再生装置１に座標変換手段を設けると良い。
【００３５】
例えば、図４において、基準カメラを第４カメラ１０ｄとし、各カメラで撮影した映像中の対象物Ｊの位置が一致するように座標変換する場合を説明する。撮影する各カメラ１０の画角をφ、カメラ１０から距離Ｌｓでの撮影範囲Ｗｓ、第ｉカメラと基準カメラ（第４カメラ１０ｄ）の距離をＬｉとすると、画面内での対象物Ｊの画面内での位置を一致させるためには、画面内で映像を平行移動する割合Ｌｉ／Ｗｓは、幾何学的に
Ｌｉ／Ｗｓ＝Ｌｉ／（２Ｌｓtan（φ／２））
となる。
例えば、図４における第１カメラ１０ａは、対象物Ｊの位置が右に
Ｌｉ／（２Ｌｓtan（φ／２））
の割合だけずれているので、この割合だけ画像を左に平行移動させれば、画面内の対象物Ｊの位置が基準カメラ（第４カメラ１０ｄ）で撮影した映像における対象物Ｊの位置と一致する。
【００３６】
ここで、前記した座標変換のためには、各カメラ１０から対象物Ｊまでの距離Ｌｓがわからなければならないが、距離Ｌｓは、複数のカメラ１０で撮影した映像中の対象物Ｊのずれから求めることができる。
図５は、平行に配置した２つのカメラから撮影した対象物Ｊまでの距離Ｌｓを求める方法を説明する平面図である。図５に示すように、例えば第１カメラ１０ａから第７カメラ１０ｇまでの距離をＷｃとする。また、第１カメラ１０ａで撮影した対象物Ｊの画面内の位置が画面の中央から右に角度βａだけずれ、第７カメラ１０ｇで撮影した対象物Ｊの画面内の位置が画面の中央から左に角度βｇだけずれたとする。角度βａ及び角度βｇは、それぞれ画面内の映像から対象物Ｊを検出し、対象物Ｊの画素が中央からどれだけずれているかで求めることができる。このとき、距離Ｌｓは、幾何学的に、
Ｌｓ＝Ｗｃ／（tanβａ＋tanβｇ）
となる。
この距離Ｌｓを用いて前記した平行移動の座標変換を行えば、撮影位置から対象物Ｊまでの距離を知らない場合においても、撮影・再生装置１に距離Ｌｓを計算させ、自動的に座標変換させることで、ブレやちらつきの少ないスローモーションを撮影・再生することができる。
【００３７】
次に、複数のカメラの配置の他の例について説明する。図６は、撮影・再生装置における他の例に係る複数のカメラの配置を後から見た図である。
図６に示すカメラ１０（１０ａ，１０ｂ，・・・１０ｙ）は、５行５列に計２５個、平行にかつ同一平面上に配置されている。すなわち、より多くのカメラ１０を使用して高倍率のスローモーションを撮影・再生しようとする場合には、このように２次元的に配列させても良い。ここで、図６の各四角中に記した数字ｎ（この例では１〜２５）を使って第ｎカメラと呼ぶことにする。
通常のカメラの標準開口時間が図７（ａ）に示す長さであったとするならば、図６のように２５個のカメラ１０を使用した撮影・再生装置１は、各カメラのシャッター１１の開口時間を図７（ｂ）に示すように標準開口時間の１／２５に短くして、第１カメラ１０ａ、第２カメラ１０ｂ、・・・第２５カメラ１０ｙで撮影するようにシャッター１１を順次開口していく。そして、図７（ｃ）に示すように、撮影された映像を２５倍遅く、すなわち１フィールドを標準開口時間ずつ再生しつつ、切換機３０により、録画装置２０とモニタ４０の接続を撮影した順序と同じ順序で接続して映し出す。このようにして、カメラ１０の数を増やすことにより、同様の手段で高倍率のスローモーションが撮影・再生される。
【００３８】
なお、第１〜２５カメラの配置は、第１カメラ１０ａから第５カメラ１０ｅまでが一行に順に左から並び、第６カメラ１０ｆは、第５カメラ１０ｅの真下に配置され、第７カメラ１０ｇから第１０カメラ１０ｋまでは、第６カメラ１０ｆの左へ順に一行に並び、以後同様に、下、右、下、左、下・・・の順に配置されている。これは、撮影順序に従い、隣り合うフィールドを撮影する２つのカメラがなるべく近くなるように配置したものである。このようにすることにより、隣り合うフィールドの視野の差が小さくなり、スローモーションを再生したときのブレやちらつきが小さくなる。ただし、第１〜２５カメラの配置はこれに限られず、例えば、第６カメラ１０ｆを第１カメラ１０ａの下に配置し、第７カメラ１０ｇから第１０カメラ１０ｋを第６カメラ１０ｆの右に、順に並べるように配置しても構わない。
【００３９】
また、このように２次元的にカメラ１０を配置した場合においても、前記した座標変換を同様に行うことができる。すなわち、横方向だけでなく、縦方向にも同じ考え方で平行移動させることで、対象物のブレやちらつきを小さくすることができる。
【００４０】
また、カメラの配置は、他にも図８（ａ）に示すように２行５列に配置したり、図８（ｂ）に示すように円周上に等間隔に配置したりすることもできる。さらに、前記した図６及び図８（ａ），（ｂ）のいずれの配置においても、各カメラ１０を互いに平行に配置するのではなく、対象物側に傾けて輻輳して配置することも可能である。
なお、図８において、丸で示したカメラの中の数字は、シャッター１１が開口する順序を示している。すなわち、各カメラの撮影順序は、隣りのカメラへ次々と撮影していくような順序になっている。
【００４１】
次に、カメラ１０を平行に配置した場合の応用例について説明する。図９は、この応用例のカメラ、平行光学系、対象物の配置を示した平面図である。
図９に示すカメラ１０は、図４の場合と同じように、７つの第１〜第７カメラ１０ａ〜１０ｇが平行にかつ同一平面上に配置されている。そして、カメラ１０と対象物Ｊの間には対象物Ｊから放射状に広がる光をカメラ１０に向かう平行光にする平行光学系５０が配置されている。この平行光学系５０により、対象物Ｊからの光は、球面状に広がった後、平行光になって、各カメラ１０に入っていく。すなわち、各カメラ１０で撮影される映像は、対象物Ｊに対し、球面上に、かつ対象物Ｊに向けて輻輳して配置した場合と同じ映像となる。従って、図３のように各カメラ１０を輻輳して配置した場合と同様に、各カメラ１０で撮影した映像中の対象物Ｊの位置がほぼ同じとなり、再生したスローモーションのブレやちらつきが小さくなる。なお、この図９のカメラ配置では、対象物Ｊからの光を平行光学系５０で平行光にするには、平行光学系５０を構成する２つのレンズ間の距離を変えるなどで実現でき、対象物Ｊから平行光学系５０までの距離Ｌｍが変化しても、２つのレンズ間距離を調節すればよい。なお、通常のカメラレンズの絞りの位置が平行光になっているため、平行光学系５０はこれと等価なものでよく、図示したものに限らず、ミラーを利用するなど、他の構成であってもよい。
【００４３】
【発明の効果】
以上、詳述したとおり、本発明によれば、以下のような顕著な効果を奏する。
請求項１記載の発明によれば、特別なカメラを使うことなく、高倍率でブレの少ないスローモーションを撮影することができ、撮影した対象物のブレやちらつきを少なくすることができる。
【００４４】
請求項２記載の発明によれば、複数のカメラの配置が容易で、対象物のほぼ同じ面を撮影することができる。
【００４５】
請求項３記載及び請求項４記載の発明によれば、各カメラで撮影した対象物の画面中での位置ずれを小さくして、再生映像のブレやちらつきを少なくすることができる。
【００４６】
請求項５記載の発明によれば、カメラの配置が容易でありながら、カメラを輻輳して配置したのと同様の効果を得ることができ、しかも対象物とカメラの距離が変わった場合でも、平行光学系を対象物に合わせて移動させるだけで同じ光学系を維持することができる。
【図面の簡単な説明】
【図１】一実施形態に係るスローモーションの撮影・再生装置の構成図である。
【図２】（ａ）は通常のカメラのフィールドの時間を示すグラフ、（ｂ）は本実施形態の各カメラにおけるシャッターの開口タイミングを示すグラフ、（ｃ）は、本実施形態の撮影・再生装置で再生するときの各カメラの読み出しタイミングを示すグラフである。
【図３】一実施形態に係るスローモーションの撮影・再生装置における各カメラの配置を示した平面図である。
【図４】カメラの配置の他の例を示す平面図である。
【図５】平行に配置した２つのカメラから撮影した対象物までの距離Ｌｓを求める方法を説明する平面図である。
【図６】撮影・再生装置における他の例に係る複数のカメラの配置を後から見た図である。
【図７】（ａ）は通常のカメラのフィールドの時間を示すグラフ、（ｂ）は図６の各カメラにおけるシャッターの開口タイミングを示すグラフ、（ｃ）は、図６の各カメラで撮影した映像を再生するときの各カメラの読み出しタイミングを示すグラフである。
【図８】（ａ），（ｂ）ともに、カメラの配置のさらに他の例を示す平面図である。
【図９】応用例のカメラ、平行光学系、対象物の配置を示した平面図である。
【符号の説明】
１０    カメラ
１５    開口タイミング設定手段
２０    録画装置
３０    切換機
４０    モニタ
【図１】
0003956353.tif 000002
【図２】
0003956353.tif 000003
【図３】
0003956353.tif 000004
【図４】
0003956353.tif 000005
【図５】
0003956353.tif 000006
【図６】
0003956353.tif 000007
【図７】
0003956353.tif 000008
【図８】
0003956353.tif 000009
【図９】
0003956353.tif 000010